(57)【要約】      （修正有）【課題】板状の段ボール部材から簡易且つ低コストで、より強度の高いベッドを組立てることができる段ボール製の組立式ベッドを提供する。【解決手段】板状の段ボール部材からなる床板１と、複数の板状の段ボール部材を平面視で格子状に組立てることにより、床板を載置する載置面が形成された支持体２と、複数の板状の段ボール部材によって支持体を囲繞するように平面視で長方形状に構成された枠体３とを備え、支持体に形成される格子内に、板状の段ボール部材によって形成された保持体４Ａ、４Ｂを設けた。【選択図】図３
0003231103.tif 000002
【実用新案登録請求の範囲】
【請求項１】
寝床となる床板と、
複数の板状部材を平面視で格子状に組立てることにより構成されて、前記床板を床面より高い位置に載置可能にした支持体と、
前記支持体を囲繞するように平面視で長方形状に構成された枠体と、
前記支持体により形成される格子内に配置されて型崩れを防止する保持体とを備え、
前記床板と前記支持体と前記枠体と前記保持体とは、板状の段ボール部材から組立可能に構成された
段ボール製の組立式ベッド。
【請求項２】
前記保持体は、一対の保持板を十字状に連結することによって構成され、平面視で前記支持体によって形成される格子の対角線となるように配置された
請求項１に記載の段ボール製の組立式ベッド。
【請求項３】
前記支持体は、くの字に屈曲形成された一対の板状部材である支持板の端部側同士を固定することによって構成された支持ユニットを、前記枠体内の長手方向に沿って複数並べて配置することによって構成された
請求項１又は２に記載の段ボール製の組立式ベッド。
【請求項４】
前記支持板には、一対の支持板同士を連結して前記支持ユニットを構成するための支持板連結溝と、隣接する支持ユニット同士を連結するためのユニット連結溝とが形成された
請求項３に記載の段ボール製の組立式ベッド。
【請求項５】
前記床板は、長手方向に向けて折畳むことができるように構成された
請求項１乃至４の何れかに記載の段ボール製の組立式ベッド。
【請求項６】
前記枠体は、長手方向の側面を形成する一対の第１側面板と、前記第１側面板の端部側同士を連結する一対の第２側面板とから構成された
請求項１乃至５の何れかに記載の段ボール製の組立式ベッド。
【請求項７】
前記第１側面板は、長手方向に向けて折畳むことができるように構成された
請求項６に記載の段ボール製の組立式ベッド。
【考案の詳細な説明】
【技術分野】
【０００１】
本考案は、段ボール製の組立式ベッドに関する。
【背景技術】
【０００２】
寝床となる床板と、平面視で格子状に構成されることにより前記床板を載置可能にした支持体と、前記支持体を囲繞するように平面視で長方形状に構成された枠体とを備え、前記床板と前記支持体と前記枠体とは、板状の段ボール部材からベッド状態に組立可能に構成された特許文献１に記載の段ボール製の組立式ベッドが従来公知である。
【０００３】
上記文献の段ボール製の組立式ベッドによれば、災害時における体育館等の避難所の他、大規模イベント時のイベント施設内に臨時のベッドを素早く且つ低コストで用意することができる他、寝床を床面から高い位置に形成することができるため、床からの冷えを防止できる快適なベッドを提供できるものであるが、特に前記支持体を構成する板状部材の枚数が多くなって組立作業の手間が掛かるとともに、その強度も十分でない場合があるという課題があった。
【先行技術文献】
【特許文献】
【０００４】
【特許文献１】実用新案登録第３２０４２３６号公報
【考案の概要】
【考案が解決しようとする課題】
【０００５】
本考案は、板状の段ボール部材から簡易且つ低コストで、より強度の高いベッドを組立てることができる段ボール製の組立式ベッドを提供することを課題とする。
【課題を解決するための手段】
【０００６】
第１に、寝床となる床板と、複数の板状部材を平面視で格子状に組立てることにより構成されて、前記床板を床面より高い位置に載置可能にした支持体と、前記支持体を囲繞するように平面視で長方形状に構成された枠体と、前記支持体により形成される格子内に配置されて型崩れを防止する保持体とを備え、前記床板と前記支持体と前記枠体と前記保持体とは、板状の段ボール部材から組立可能に構成されたことを特徴としている。
【０００７】
第２に、前記保持体は、一対の保持板を十字状に連結することによって構成され、平面視で前記支持体によって形成される格子の対角線となるように配置されたことを特徴としている。
【０００８】
第３に、前記支持体は、くの字に屈曲形成された一対の板状部材である支持板の端部側同士を固定することによって構成された支持ユニットを、前記枠体内の長手方向に沿って複数並べて配置することによって構成されたことを特徴としている。
【０００９】
第４に、前記支持板には、一対の支持板同士を連結して前記支持ユニットを構成するための支持板連結溝と、隣接する支持ユニット同士を連結するためのユニット連結溝とが形成されたことを特徴としている。
【００１０】
第５に、前記床板は、長手方向に向けて折畳むことができるように構成されたことを特徴としている。
【００１１】
第６に、前記枠体は、長手方向の側面を形成する一対の第１側面板と、前記第１側面板の端部側同士を連結する一対の第２側面板とから構成されたことを特徴としている。
【００１２】
第７に、前記第１側面板は、長手方向に向けて折畳むことができるように構成されたことを特徴としている。
【考案の効果】
【００１３】
前記床板を床面より高い位置に載置可能にした支持体を、複数の板状部材を平面視で格子状に組立てることにより構成し、前記枠体によって囲繞される前記支持体の格子内に該支持体の型崩れを防止する保持体を設けたことにより、前記床板を支持する前記支持体をより少ない枚数の板状部材によってより低コスト且つ強固できるとともに、各部材のベッドへの組立作業も簡易化することができる。
【００１４】
また、前記保持体は、一対の保持板を十字状に連結することによって構成され、平面視で前記支持体によって形成される格子の対角線となるように配置されたものによれば、より簡易且つ低コストな構成の前記保持体によって、前記支持体の強度を向上させることができる。
【００１５】
また、前記支持体は、くの字に屈曲形成された一対の板状部材である支持板の端部側同士を固定することによって構成された支持ユニットを、前記枠体内の長手方向に沿って複数並べて配置することによって構成されたものによれば、前記支持体を複数の支持ユニットに分けることができるため、組立作業や搬送作業が容易になる他、前記支持体を構成する支持板の数も削減できるため、コストもより低く抑えることができる。
【００１６】
また、前記支持板には、一対の支持板同士を連結して前記支持ユニットを構成するための支持板連結溝と、隣接する支持ユニット同士を連結するためのユニット連結溝とが形成されたものによれば、前記支持ユニットの組立作業と、複数の支持ユニットの連結作業とに、別途の取付具等が必要ないため、ベッドの組立作業がより簡易になる。
【００１７】
また、前記床板は、長手方向に向けて折畳むことができるように構成されたものによれば、前記床板をベッドとして使用しない場合に、前記床板をよりコンパクトに収容することができる。
【００１８】
また、前記枠体は、長手方向の側面を形成する一対の第１側面板と、前記第１側面板の端部側同士を連結する一対の第２側面板とから構成されたものによれば、前記枠体が形成される前の板状の段ボール部材をよりコンパクトに構成することができる。
【図面の簡単な説明】
【００１９】
【図１】本考案の段ボール製の組立式ベッドを示した全体斜視図である。
【図２】床板を外した状態の組立式ベッドを示した全体平面図である。
【図３】段ボール製の組立式ベッドの分解斜視図である。
【図４】床板を示した平面図である。
【図５】（Ａ）は、第１側面板を示した平面図であり、（Ｂ）は、第２側面板を示した平面図である。
【図６】（Ａ）は、支持ユニットを構成する支持板を示した平面図であり、（Ｂ）は、支持ユニットを示した斜視図である。
【図７】（Ａ）は、保持体を構成する保持板を示した平面図であり、（Ｂ）は、格子部側保持体と、接続部側保持体を示した斜視図である。
【考案を実施するための形態】
【００２０】
図１は、本考案の段ボール製の組立式ベッドを示した全体斜視図であり、図２は、床板を外した状態の組立式ベッドを示した全体平面図であり、図３は、段ボール製の組立式ベッドの分解斜視図である。本考案の組立式ベッドは、図示されるように、寝床となる床板１と、該床板１を床面より高い位置で支持する支持体２と、該支持体２を囲繞するように形成された枠体３と、前記支持体２の型崩れを防止するための保持体４とから構成されており、各部を構成するユニットは、板状の段ボール部材を組立てることによって形成されている（図１乃至３等参照）。
【００２１】
図４に基づき、前記床板１について説明する。図４は、床板を示した平面図である。前記床板１は、平面視で前記枠体３よりも一回り大きい長方形に形成された板状の段ボール部材である。また、該床板１には、長手方向に対して直角方向の折目１ａが等間隔で複数（図示する例では３カ所）設けられており、４等分に折り畳むことができるように構成されている（図４（Ａ）参照）。
【００２２】
該構成によれば、前記枠体３内に設置された前記支持体２の上面側に載置されることによって寝床として機能するように構成されており、ベッドとして組立てられない状態の場合には、小さく畳んでコンパクトに収容することができる。
【００２３】
次に、図５に基づき、前記枠体３を構成する部材について説明する。図５（Ａ）は、第１側面板を示した平面図であり、図５（Ｂ）は、第２側面板を示した平面図である。
【００２４】
前記枠体３は、組立式ベッドの側面長手側を構成する一対の板状部材である第１側面板６、６と、一対の第１側面板６の端部側同士を連結することで組立式ベッドの側面短手側を構成する一対の板状部材である第２側面板７、７とから組立可能に構成されている（図５参照）。該枠体３は、平面視で前記床板１よりも一回り小さい長方形状に形成されることにより、該枠体３の内側に前記支持体２が収容されるように構成されている。
【００２５】
上記第１側面板６と上記第２側面板７とは、その両端側に組立式ベッドの高さ方向に延設される側面板連結溝６ａ，７ａがそれぞれ形成されており、各側面板連結溝６ａ，７ａは、第１側面板６と第２側面板７の高さ方向の上下幅の半分以上となるように形成されている（図５参照）。
【００２６】
該構成によれば、開放端が上方に向けられた第１側面板６の端部板の側面板連結溝６ａに、開放端が下方に向けられた第２側面板７の側面板連結溝７ａを差込むことにより、第１側面板６の端部側と、第２側面板７の端部側とを直角に交差させた状態で連結することができる（図３等参照）。すなわち、４枚の段ボール板からなる各側面板６、７を枠状に連結することによって、自立する前記枠体３を簡易な構成で組立てることができる。なお、各側面板６、７の差込方向は上下逆方向であっても良い。
【００２７】
ちなみに、組立式ベッドの側面長手方向を構成する上記第１側面板６には、長手方向に対して直角方向の折目６ｂが等間隔で複数（図示する例では３カ所）設けられており、４等分に小さく折り畳むことができるように構成されている（図１、図５（Ａ）参照）。
【００２８】
次に、図６に基づき、前記支持体２を構成する部材について説明する。図６（Ａ）は、支持ユニットを構成する支持板を示した平面図であり、図６（Ｂ）は、支持ユニットを示した斜視図である。
【００２９】
前記支持体２は、格子（菱形）状に形成された支持ユニット１０を、複数（図示する例では３つ）並べて接続することにより構成されている（図２及び図３等参照）。該支持体２（支持ユニット１０）は、前記枠体３内に嵌合されるようにして収容されることにより、前記枠体３が型崩れすることを防止してベッド全体の強度を向上させることができる。これにより、前記支持体２の上面側に前記床板１をより安定的に載置支持することができる。
【００３０】
前記支持ユニット１０は、一対の板状に形成された段ボール部材である第１支持板（支持板）８と、第２支持板（支持板）９とによって構成されており、各支持板８、９には、該支持板８、９をくの字状に屈曲形成するための折目８ｃ、９ｃと、一対の支持板８、８の端部側同士を連結するために高さ方向に沿って設けられた一対の支持板連結溝８ａ、９ａと、該支持板連結溝８ａ、９ａの左右外側に設けられた一対のユニット連結溝８ｂ、９ｂとが形成されている。なお、前記支持板連結溝８ａ、９ａと前記ユニット連結溝８ｂ、９ｂとは、前記支持板８、９の高さ方向の上下幅の半分以上となるように形成されている（図６（Ａ）参照）。
【００３１】
ちなみに、上記第１支持板８では、前記支持板連結溝８ａと前記ユニット連結溝８ｂとが、対向する他方側の辺から互い違いとなるように凹設される一方で、上記第２支持板９では、前記支持板連結溝９ａと前記ユニット連結溝９ｂとが、同一の辺から同一方向に沿って凹設されている（図６（Ａ）参照）。
【００３２】
該構成によれば、開放端が上方に向けられた前記第１支持板８の支持板連結溝８ａに、開放端側が下方に向けられた前記第２支持板９の支持板連結溝９ａを差込むことにより、くの字状に屈曲形成された第１支持板８と第２支持板９の端部側同士を連結固定して、平面視でパンタグラフ（菱形）状の前記支持ユニット１０を構成することができる（図６（Ｂ）参照）。
【００３３】
上記のようにして構成された支持ユニット１０は、屈曲形成された一対の前記支持板８、９の中央側で形成された格子（菱形）状の格子部と、前記格子部の外側に突出される４つの突出片から構成される接続部とが構成されている。これにより、前記枠体３内で一列に並べて配置される前記支持ユニット１０の接続部同士は、前記ユニット連結溝８ｂ，９ｂを介して連結固定することができるように構成されている。
【００３４】
具体的に説明すると、前記支持ユニット１０の接続部を構成する４つの突出片（支持板８、９の端部側）には、いずれも同一方向の（図６に示す例では下端から上方に向かう）ユニット連結溝８ａ、９ａが形成されるため（図６Ａ参照）、隣接配置される前記支持ユニット１０の上下面を裏返して交互に並べることによって、隣接配置される前記支持ユニット１０の接続部同士を連結することができる（図２及び図３参照）。
【００３５】
該構成によれば、前記支持体２は、隣接配置される前記支持ユニット１０の接続部同士が接続固定されることによって、前記支持ユニット１０の格子部Ｘよりも一回り小さい接続格子部Ｙが形成される（図２及び図３参照）。これにより、前記支持体２は、平面視で格子部Ｘ、接続格子部Ｙ、格子部Ｘ、接続格子部Ｙ、格子部Ｘの順番で並べて配置される格子状の載置面が形成される（図２参照）。
【００３６】
次に、図７に基づき、前記保持体を構成する部材について説明する図７（Ａ）は、保持体を構成する保持板を示した平面図であり、図７（Ｂ）は、格子部側保持体と、接続部側保持体を示した斜視図である。
【００３７】
前記保持体４は、一対の板状の段ボール部材を十字状に連結することによって形成されており、平面視で前記格子部Ｘ又は接続格子部Ｙの対角線となるように、前記支持体２の内側に嵌合（収容）することができるように構成されている。具体的には、前記保持体４は、前記支持ユニット１０の格子部内に設置される格子部側保持体４Ａと、隣接する前記支持ユニット１０間に構成される前記接続格子部内に設置される接続部側保持体４Ｂとを有している（図２及び図７（Ｂ）参照）。
【００３８】
上記格子部側保持体４Ａは、前記格子部の対角線の長辺と同じ長さに形成された格子側第１保持板（保持板）１１と、前記格子部の対角線の短辺と同じ長さに形成された格子側第２保持板（保持板）１２とから構成されてている。また、前記格子側第１保持板１１と前記格子側第２保持板１２の中心には、高さ方向の保持板連結溝１１ａ、１２ａがそれぞれ形成されている（図７（Ａ）参照）。該保持板連結溝１１ａ、１２ａは、格子側第１保持板１１と格子側第２保持板１２の高さ方向の上下幅の半分以上となるように形成されている。
【００３９】
該構成によれば、開放端が上方に向けられた格子側第１保持板１１の保持板連結溝１１ａに、開放端が下方に向けられた格子側第２保持板１２の保持板連結溝１２ａを差込むことにより、格子側第１保持板１１と、格子側第２保持板１２とを直角に交差させた状態で連結することができる（図７（Ｂ）等参照）。
【００４０】
上記接続部側保持体４Ｂは、前記接続格子部の対角線の長辺と同じ長さに形成された接続側第１保持板（保持板）１３と、前記接続格子部の対角線の短辺と同じ長さに形成された接続側第２保持板（保持板）１４とから構成されている。また、前記接続側第１保持板１３と前記接続側第２保持板１４の中心には、高さ方向の保持板連結溝１３ａ、１４ａがそれぞれ形成されている（図７（Ａ）参照）。該保持板連結溝１３ａ、１４ａは、接続側第１保持板１３と接続側第２保持板１４の高さ方向の上下幅の半分以上となるように形成されている。
【００４１】
該構成によれば、開放端が上方に向けられた接続側第１保持板１３の保持板連結溝１３ａに、開放端が下方に向けられた接続側第２保持板１４の保持板連結溝１４ａを差込むことにより、接続側第１保持板１３と、接続側第２保持板１４とを直角に交差させた状態で連結することができる（図７（Ｂ）等参照）。
【００４２】
以上によれば、前記保持体４は、一対の支持板を十字状に連結することによって容易に組立てることができるとともに、十字状の前記保持体４を、前記支持体２の格子部Ｘと、接続格子部Ｙの内側に対角線となるように嵌合することで、前記支持体２を簡易且つ強固に補強することができる。
【００４３】
上述のように構成された組立式ベッドによれば、前記組立式ベッドを構成する前記床板１と、前記支持体２と、前記枠体３と、前記保持体４とを、全て板状の段ボール部材から工具を用いることなく簡易且つスムーズ組立てることができる他、組立式ベッドを構成する部品点数も削減することができるため、より低コストで構成することができる。
【００４４】
また、前記組立式ベッドを構成する前記床板１と、前記支持体２と、前記枠体３と、前記保持体４とは、組立前の板状部材（床板１、第１支持板８、第２支持板９、第１側面板６、第２側面板７、各保持板１１、１２、１３、１４）への解体も容易に行うことができるため、ベッドとして使用しない場合には、各部材を解体してコンパクトに収容可能な収納状態とすることができる。
【００４５】
さらに、前記組立式ベッドを構成する各部材（床板１、第１支持板８、第２支持板９、第１側面板６、第２側面板７、各保持板１１、１２、１３、１４）を板状の段ボールから無駄なく形成することができるため、組立式ベッドをより低コストで構成することができる。
【符号の説明】
【００４６】
１    床板
２    支持体
３    枠体
４    保持体
８    第１支持板（支持板）
８ａ  支持板連結溝
８ｂ  ユニット連結溝
９    第２支持板（支持板）
９ａ  支持板連結溝
９ｂ  ユニット連結溝
１０    支持ユニット
１１    格子側第１保持板（保持板）
１２    格子側第２保持板（保持板）
１３    接続側第１保持板（保持板）
１４    接続側第２保持板（保持板）
【図１】
0003231103.tif 000003
【図２】
0003231103.tif 000004
【図３】
0003231103.tif 000005
【図４】
0003231103.tif 000006
【図５】
0003231103.tif 000007
【図６】
0003231103.tif 000008
【図７】
0003231103.tif 000009
【手続補正書】
【提出日】令和2年12月28日(2020.12.28)
【手続補正１】
【補正対象書類名】実用新案登録請求の範囲
【補正対象項目名】全文
【補正方法】変更
【補正の内容】
【実用新案登録請求の範囲】
【請求項１】
板状の段ボール部材からなる床板と、
複数の板状の段ボール部材を平面視で格子状に組立てることにより、前記床板を載置する載置面が形成された支持体と、
複数の板状の段ボール部材によって前記支持体を囲繞するように平面視で長方形状に構成された枠体とを備え、
前記支持体に形成される格子内に、板状の段ボール部材によって形成された保持体を設けた
段ボール製の組立式ベッド。
【請求項２】
前記保持体は、一対の保持板を十字状に連結することによって構成され、平面視で前記支持体によって形成される格子の対角線となるように配置された
請求項１に記載の段ボール製の組立式ベッド。
【請求項３】
前記支持体は、くの字に屈曲形成された一対の板状部材である支持板の端部側同士を固定することによって構成された支持ユニットを、前記枠体内の長手方向に沿って複数並べて配置することによって構成された
請求項１又は２に記載の段ボール製の組立式ベッド。
【請求項４】
前記支持板には、一対の支持板同士を連結して前記支持ユニットを構成するための支持板連結溝と、隣接する支持ユニット同士を連結するためのユニット連結溝とが形成された
請求項３に記載の段ボール製の組立式ベッド。
【請求項５】
前記床板は、長手方向に対して直角方向の折目が形成された
請求項１乃至４の何れかに記載の段ボール製の組立式ベッド。
【請求項６】
前記枠体は、長手方向の側面を形成する一対の第１側面板と、前記第１側面板の端部側同士を連結する一対の第２側面板とから構成された
請求項１乃至５の何れかに記載の段ボール製の組立式ベッド。
【請求項７】
前記第１側面板は、長手方向に対して直角方向の折目が形成された
請求項６に記載の段ボール製の組立式ベッド。
【手続補正２】
【補正対象書類名】明細書
【補正対象項目名】全文
【補正方法】変更
【補正の内容】
【考案の詳細な説明】
【技術分野】
【０００１】
本考案は、段ボール製の組立式ベッドに関する。
【背景技術】
【０００２】
寝床となる床板と、平面視で格子状に構成されることにより前記床板を載置可能にした支持体と、前記支持体を囲繞するように平面視で長方形状に構成された枠体とを備え、前記床板と前記支持体と前記枠体とは、板状の段ボール部材からベッド状態に組立可能に構成された特許文献１に記載の段ボール製の組立式ベッドが従来公知である。
【０００３】
上記文献の段ボール製の組立式ベッドによれば、災害時における体育館等の避難所の他、大規模イベント時のイベント施設内に臨時のベッドを素早く且つ低コストで用意することができる他、寝床を床面から高い位置に形成することができるため、床からの冷えを防止できる快適なベッドを提供できるものであるが、特に前記支持体を構成する板状部材の枚数が多くなって組立作業の手間が掛かるとともに、その強度も十分でない場合があるという課題があった。
【先行技術文献】
【特許文献】
【０００４】
【特許文献１】実用新案登録第３２０４２３６号公報
【考案の概要】
【考案が解決しようとする課題】
【０００５】
本考案は、板状の段ボール部材から簡易且つ低コストで、より強度の高いベッドを組立てることができる段ボール製の組立式ベッドを提供することを課題とする。
【課題を解決するための手段】
【０００６】
第１に、板状の段ボール部材からなる床板と、複数の板状の段ボール部材を平面視で格子状に組立てることにより、前記床板を載置する載置面が形成された支持体と、複数の板状の段ボール部材によって前記支持体を囲繞するように平面視で長方形状に構成された枠体とを備え、前記支持体に形成される格子内に、板状の段ボール部材によって形成された保持体を設けたことを特徴としている。
【０００７】
第２に、前記保持体は、一対の保持板を十字状に連結することによって構成され、平面視で前記支持体によって形成される格子の対角線となるように配置されたことを特徴としている。
【０００８】
第３に、前記支持体は、くの字に屈曲形成された一対の板状部材である支持板の端部側同士を固定することによって構成された支持ユニットを、前記枠体内の長手方向に沿って複数並べて配置することによって構成されたことを特徴としている。
【０００９】
第４に、前記支持板には、一対の支持板同士を連結して前記支持ユニットを構成するための支持板連結溝と、隣接する支持ユニット同士を連結するためのユニット連結溝とが形成されたことを特徴としている。
【００１０】
第５に、前記床板は、長手方向に対して直角方向の折目が形成されたことを特徴としている。
【００１１】
第６に、前記枠体は、長手方向の側面を形成する一対の第１側面板と、前記第１側面板の端部側同士を連結する一対の第２側面板とから構成されたことを特徴としている。
【００１２】
第７に、前記第１側面板は、長手方向に対して直角方向の折目が形成されたことを特徴としている。
【考案の効果】
【００１３】
前記床板を床面より高い位置に載置可能にした支持体を、複数の板状部材を平面視で格子状に組立てることにより構成し、前記枠体によって囲繞される前記支持体の格子内に該支持体の型崩れを防止する保持体を設けたことにより、前記床板を支持する前記支持体をより少ない枚数の板状部材によってより低コスト且つ強固できるとともに、各部材のベッドへの組立作業も簡易化することができる。
【００１４】
また、前記保持体は、一対の保持板を十字状に連結することによって構成され、平面視で前記支持体によって形成される格子の対角線となるように配置されたものによれば、より簡易且つ低コストな構成の前記保持体によって、前記支持体の強度を向上させることができる。
【００１５】
また、前記支持体は、くの字に屈曲形成された一対の板状部材である支持板の端部側同士を固定することによって構成された支持ユニットを、前記枠体内の長手方向に沿って複数並べて配置することによって構成されたものによれば、前記支持体を複数の支持ユニットに分けることができるため、組立作業や搬送作業が容易になる他、前記支持体を構成する支持板の数も削減できるため、コストもより低く抑えることができる。
【００１６】
また、前記支持板には、一対の支持板同士を連結して前記支持ユニットを構成するための支持板連結溝と、隣接する支持ユニット同士を連結するためのユニット連結溝とが形成されたものによれば、前記支持ユニットの組立作業と、複数の支持ユニットの連結作業とに、別途の取付具等が必要ないため、ベッドの組立作業がより簡易になる。
【００１７】
また、前記床板は、長手方向に向けて折畳むことができるように構成されたものによれば、前記床板をベッドとして使用しない場合に、前記床板をよりコンパクトに収容することができる。
【００１８】
また、前記枠体は、長手方向の側面を形成する一対の第１側面板と、前記第１側面板の端部側同士を連結する一対の第２側面板とから構成されたものによれば、前記枠体が形成される前の板状の段ボール部材をよりコンパクトに構成することができる。
【図面の簡単な説明】
【００１９】
【図１】本考案の段ボール製の組立式ベッドを示した全体斜視図である。
【図２】床板を外した状態の組立式ベッドを示した全体平面図である。
【図３】段ボール製の組立式ベッドの分解斜視図である。
【図４】床板を示した平面図である。
【図５】（Ａ）は、第１側面板を示した平面図であり、（Ｂ）は、第２側面板を示した平面図である。
【図６】（Ａ）は、支持ユニットを構成する支持板を示した平面図であり、（Ｂ）は、支持ユニットを示した斜視図である。
【図７】（Ａ）は、保持体を構成する保持板を示した平面図であり、（Ｂ）は、格子部側保持体と、接続部側保持体を示した斜視図である。
【考案を実施するための形態】
【００２０】
図１は、本考案の段ボール製の組立式ベッドを示した全体斜視図であり、図２は、床板を外した状態の組立式ベッドを示した全体平面図であり、図３は、段ボール製の組立式ベッドの分解斜視図である。本考案の組立式ベッドは、図示されるように、寝床となる床板１と、該床板１を床面より高い位置で支持する支持体２と、該支持体２を囲繞するように形成された枠体３と、前記支持体２の型崩れを防止するための保持体４とから構成されており、各部を構成するユニットは、板状の段ボール部材を組立てることによって形成されている（図１乃至３等参照）。
【００２１】
図４に基づき、前記床板１について説明する。図４は、床板を示した平面図である。前記床板１は、平面視で前記枠体３よりも一回り大きい長方形に形成された板状の段ボール部材である。また、該床板１には、長手方向に対して直角方向の折目１ａが等間隔で複数（図示する例では３カ所）設けられており、４等分に折り畳むことができるように構成されている（図４（Ａ）参照）。
【００２２】
該構成によれば、前記枠体３内に設置された前記支持体２の上面側に載置されることによって寝床として機能するように構成されており、ベッドとして組立てられない状態の場合には、小さく畳んでコンパクトに収容することができる。
【００２３】
次に、図５に基づき、前記枠体３を構成する部材について説明する。図５（Ａ）は、第１側面板を示した平面図であり、図５（Ｂ）は、第２側面板を示した平面図である。
【００２４】
前記枠体３は、組立式ベッドの側面長手側を構成する一対の板状部材である第１側面板６、６と、一対の第１側面板６の端部側同士を連結することで組立式ベッドの側面短手側を構成する一対の板状部材である第２側面板７、７とから組立可能に構成されている（図５参照）。該枠体３は、平面視で前記床板１よりも一回り小さい長方形状に形成されることにより、該枠体３の内側に前記支持体２が収容されるように構成されている。
【００２５】
上記第１側面板６と上記第２側面板７とは、その両端側に組立式ベッドの高さ方向に延設される側面板連結溝６ａ，７ａがそれぞれ形成されており、各側面板連結溝６ａ，７ａは、第１側面板６と第２側面板７の高さ方向の上下幅の半分以上となるように形成されている（図５参照）。
【００２６】
該構成によれば、開放端が上方に向けられた第１側面板６の端部板の側面板連結溝６ａに、開放端が下方に向けられた第２側面板７の側面板連結溝７ａを差込むことにより、第１側面板６の端部側と、第２側面板７の端部側とを直角に交差させた状態で連結することができる（図３等参照）。すなわち、４枚の段ボール板からなる各側面板６、７を枠状に連結することによって、自立する前記枠体３を簡易な構成で組立てることができる。なお、各側面板６、７の差込方向は上下逆方向であっても良い。
【００２７】
ちなみに、組立式ベッドの側面長手方向を構成する上記第１側面板６には、長手方向に対して直角方向の折目６ｂが等間隔で複数（図示する例では３カ所）設けられており、４等分に小さく折り畳むことができるように構成されている（図１、図５（Ａ）参照）。
【００２８】
次に、図６に基づき、前記支持体２を構成する部材について説明する。図６（Ａ）は、支持ユニットを構成する支持板を示した平面図であり、図６（Ｂ）は、支持ユニットを示した斜視図である。
【００２９】
前記支持体２は、格子（菱形）状に形成された支持ユニット１０を、複数（図示する例では３つ）並べて接続することにより構成されている（図２及び図３等参照）。該支持体２（支持ユニット１０）は、前記枠体３内に嵌合されるようにして収容されることにより、前記枠体３が型崩れすることを防止してベッド全体の強度を向上させることができる。これにより、前記支持体２の上面側に前記床板１をより安定的に載置支持することができる。
【００３０】
前記支持ユニット１０は、一対の板状に形成された段ボール部材である第１支持板（支持板）８と、第２支持板（支持板）９とによって構成されており、各支持板８、９には、該支持板８、９をくの字状に屈曲形成するための折目８ｃ、９ｃと、一対の支持板８、８の端部側同士を連結するために高さ方向に沿って設けられた一対の支持板連結溝８ａ、９ａと、該支持板連結溝８ａ、９ａの左右外側に設けられた一対のユニット連結溝８ｂ、９ｂとが形成されている。なお、前記支持板連結溝８ａ、９ａと前記ユニット連結溝８ｂ、９ｂとは、前記支持板８、９の高さ方向の上下幅の半分以上となるように形成されている（図６（Ａ）参照）。
【００３１】
ちなみに、上記第１支持板８では、前記支持板連結溝８ａと前記ユニット連結溝８ｂとが、対向する他方側の辺から互い違いとなるように凹設される一方で、上記第２支持板９では、前記支持板連結溝９ａと前記ユニット連結溝９ｂとが、同一の辺から同一方向に沿って凹設されている（図６（Ａ）参照）。
【００３２】
該構成によれば、開放端が上方に向けられた前記第１支持板８の支持板連結溝８ａに、開放端側が下方に向けられた前記第２支持板９の支持板連結溝９ａを差込むことにより、くの字状に屈曲形成された第１支持板８と第２支持板９の端部側同士を連結固定して、平面視でパンタグラフ（菱形）状の前記支持ユニット１０を構成することができる（図６（Ｂ）参照）。
【００３３】
上記のようにして構成された支持ユニット１０は、屈曲形成された一対の前記支持板８、９の中央側で形成された格子（菱形）状の格子部と、前記格子部の外側に突出される４つの突出片から構成される接続部とが構成されている。これにより、前記枠体３内で一列に並べて配置される前記支持ユニット１０の接続部同士は、前記ユニット連結溝８ｂ，９ｂを介して連結固定することができるように構成されている。
【００３４】
具体的に説明すると、前記支持ユニット１０の接続部を構成する４つの突出片（支持板８、９の端部側）には、いずれも同一方向の（図６に示す例では下端から上方に向かう）ユニット連結溝８ａ、９ａが形成されるため（図６Ａ参照）、隣接配置される前記支持ユニット１０の上下面を裏返して交互に並べることによって、隣接配置される前記支持ユニット１０の接続部同士を連結することができる（図２及び図３参照）。
【００３５】
該構成によれば、前記支持体２は、隣接配置される前記支持ユニット１０の接続部同士が接続固定されることによって、前記支持ユニット１０の格子部Ｘよりも一回り小さい接続格子部Ｙが形成される（図２及び図３参照）。これにより、前記支持体２は、平面視で格子部Ｘ、接続格子部Ｙ、格子部Ｘ、接続格子部Ｙ、格子部Ｘの順番で並べて配置される格子状の載置面が形成される（図２参照）。
【００３６】
次に、図７に基づき、前記保持体を構成する部材について説明する図７（Ａ）は、保持体を構成する保持板を示した平面図であり、図７（Ｂ）は、格子部側保持体と、接続部側保持体を示した斜視図である。
【００３７】
前記保持体４は、一対の板状の段ボール部材を十字状に連結することによって形成されており、平面視で前記格子部Ｘ又は接続格子部Ｙの対角線となるように、前記支持体２の内側に嵌合（収容）することができるように構成されている。具体的には、前記保持体４は、前記支持ユニット１０の格子部内に設置される格子部側保持体４Ａと、隣接する前記支持ユニット１０間に構成される前記接続格子部内に設置される接続部側保持体４Ｂとを有している（図２及び図７（Ｂ）参照）。
【００３８】
上記格子部側保持体４Ａは、前記格子部の対角線の長辺と同じ長さに形成された格子側第１保持板（保持板）１１と、前記格子部の対角線の短辺と同じ長さに形成された格子側第２保持板（保持板）１２とから構成されてている。また、前記格子側第１保持板１１と前記格子側第２保持板１２の中心には、高さ方向の保持板連結溝１１ａ、１２ａがそれぞれ形成されている（図７（Ａ）参照）。該保持板連結溝１１ａ、１２ａは、格子側第１保持板１１と格子側第２保持板１２の高さ方向の上下幅の半分以上となるように形成されている。
【００３９】
該構成によれば、開放端が上方に向けられた格子側第１保持板１１の保持板連結溝１１ａに、開放端が下方に向けられた格子側第２保持板１２の保持板連結溝１２ａを差込むことにより、格子側第１保持板１１と、格子側第２保持板１２とを直角に交差させた状態で連結することができる（図７（Ｂ）等参照）。
【００４０】
上記接続部側保持体４Ｂは、前記接続格子部の対角線の長辺と同じ長さに形成された接続側第１保持板（保持板）１３と、前記接続格子部の対角線の短辺と同じ長さに形成された接続側第２保持板（保持板）１４とから構成されている。また、前記接続側第１保持板１３と前記接続側第２保持板１４の中心には、高さ方向の保持板連結溝１３ａ、１４ａがそれぞれ形成されている（図７（Ａ）参照）。該保持板連結溝１３ａ、１４ａは、接続側第１保持板１３と接続側第２保持板１４の高さ方向の上下幅の半分以上となるように形成されている。
【００４１】
該構成によれば、開放端が上方に向けられた接続側第１保持板１３の保持板連結溝１３ａに、開放端が下方に向けられた接続側第２保持板１４の保持板連結溝１４ａを差込むことにより、接続側第１保持板１３と、接続側第２保持板１４とを直角に交差させた状態で連結することができる（図７（Ｂ）等参照）。
【００４２】
以上によれば、前記保持体４は、一対の支持板を十字状に連結することによって容易に組立てることができるとともに、十字状の前記保持体４を、前記支持体２の格子部Ｘと、接続格子部Ｙの内側に対角線となるように嵌合することで、前記支持体２を簡易且つ強固に補強することができる。
【００４３】
上述のように構成された組立式ベッドによれば、前記組立式ベッドを構成する前記床板１と、前記支持体２と、前記枠体３と、前記保持体４とを、全て板状の段ボール部材から工具を用いることなく簡易且つスムーズ組立てることができる他、組立式ベッドを構成する部品点数も削減することができるため、より低コストで構成することができる。
【００４４】
また、前記組立式ベッドを構成する前記床板１と、前記支持体２と、前記枠体３と、前記保持体４とは、組立前の板状部材（床板１、第１支持板８、第２支持板９、第１側面板６、第２側面板７、各保持板１１、１２、１３、１４）への解体も容易に行うことができるため、ベッドとして使用しない場合には、各部材を解体してコンパクトに収容可能な収納状態とすることができる。
【００４５】
さらに、前記組立式ベッドを構成する各部材（床板１、第１支持板８、第２支持板９、第１側面板６、第２側面板７、各保持板１１、１２、１３、１４）を板状の段ボールから無駄なく形成することができるため、組立式ベッドをより低コストで構成することができる。
【符号の説明】
【００４６】
１    床板
２    支持体
３    枠体
４    保持体
８    第１支持板（支持板）
８ａ  支持板連結溝
８ｂ  ユニット連結溝
９    第２支持板（支持板）
９ａ  支持板連結溝
９ｂ  ユニット連結溝
１０    支持ユニット
１１    格子側第１保持板（保持板）
１２    格子側第２保持板（保持板）
１３    接続側第１保持板（保持板）
１４    接続側第２保持板（保持板）